(57)【要約】【課題】省エネルギー化を図りつつ、照明空間に存在する人数に拘らず照明空間の明るさ感を効果的に向上できる照明制御システムおよび照明制御方法を提供する。【解決手段】照明制御部は、所定方向および交差方向に隣接する４つの検出エリアＡのうち、在エリアA1に対応する照明器具13を点灯させる。照明制御部は、４つの検出エリアＡのうち、在エリアA1が１つである場合には、残りの３つの不在エリアA2に対応する照明器具13の明るさを相対的に低減させる。照明制御部は、４つの検出エリアＡのうち、在エリアA1が２つである場合には、残りの２つの不在エリアA2に対応する照明器具13のうち、在エリアA1に隣接する側の照明器具13の明るさを相対的に低減させるとともに残りの他の照明器具13を消灯する。照明制御部は、４つの検出エリアＡのうち、在エリアA1が３つである場合には、残りの１つの不在エリアA2に対応する照明器具13を消灯する。【選択図】図１
2014035932.tif 000002
【特許請求の範囲】
【請求項１】
照明空間内の複数の検出エリア毎の人の存否を検出する存否検出手段と；
照明空間の検出エリア毎に複数ずつ設置される照明器具と；
照明器具を点灯制御可能で、所定方向およびこの所定方向と交差する交差方向に隣接する４つの検出エリアのうち、存否検出手段により人の存在を検出した検出エリアに対応する照明器具を点灯させるとともに、この人の存在を検出した検出エリアが１つである場合には、残りの３つの検出エリアに対応する照明器具の明るさを相対的に低減させ、人の存在を検出した検出エリアが２つである場合には、残りの２つの検出エリアに対応する照明器具のうち、人の存在を検出した検出エリアに隣接する側の照明器具の明るさを相対的に低減させるとともに残りの他の照明器具を消灯させ、人の存在を検出した検出エリアが３つである場合には、残りの１つの検出エリアに対応する照明器具を消灯させる制御手段と；
を具備していることを特徴とする照明制御システム。
【請求項２】
照明器具は、水平方向よりも上方向に光を照射可能な上側光源、および、水平方向よりも下方向に光を照射可能な下側光源を備え、
制御手段は、所定方向およびこの所定方向と交差する交差方向に隣接する４つの検出エリアのうち、存否検出手段により人の存在を検出した検出エリアに対応する照明器具の上側光源および下側光源をそれぞれ点灯させるとともに、この人の存在を検出した検出エリアが１つである場合には、残りの３つの検出エリアに対応する照明器具の上側光源のみを点灯させ、人の存在を検出した検出エリアが２つである場合には、残りの２つの検出エリアに対応する照明器具のうち、人の存在を検出した検出エリアに隣接する側の照明器具の上側光源のみを点灯させて残りの他の照明器具を消灯させ、人の存在を検出した検出エリアが３つである場合には、残りの１つの検出エリアに対応する照明器具を消灯させる
ことを特徴とする請求項１記載の照明制御システム。
【請求項３】
所定方向およびこの所定方向と交差する交差方向に隣接する４つの検出エリアのうち、人の存在を検出した検出エリアに対応する照明器具を点灯させるとともに、この人の存在を検出した検出エリアが１つである場合には、残りの３つの検出エリアに対応する照明器具の明るさを相対的に低減させ、人の存在を検出した検出エリアが２つである場合には、残りの２つの検出エリアに対応する照明器具のうち、人の存在を検出した検出エリアに隣接する側の照明器具の明るさを相対的に低減させるとともに残りの他の照明器具を消灯させ、人の存在を検出した検出エリアが３つである場合には、残りの１つの検出エリアに対応する照明器具を消灯させる
ことを特徴とする照明制御方法。
【請求項４】
水平方向よりも上方向に光を照射可能な上側光源、および、水平方向よりも下方向に光を照射可能な下側光源を備えた照明器具を用い、
所定方向およびこの所定方向と交差する交差方向に隣接する４つの検出エリアのうち、人の存在を検出した検出エリアに対応する照明器具の上側光源および下側光源をそれぞれ点灯させるとともに、この人の存在を検出した検出エリアが１つである場合には、残りの３つの検出エリアに対応する照明器具の上側光源のみを点灯させ、人の存在を検出した検出エリアが２つである場合には、残りの２つの検出エリアに対応する照明器具のうち、人の存在を検出した検出エリアに隣接する側の照明器具の上側光源のみを点灯させて残りの他の照明器具を消灯させ、人の存在を検出した検出エリアが３つである場合には、残りの１つの検出エリアに対応する照明器具を消灯させる
ことを特徴とする請求項３記載の照明制御方法。
【発明の詳細な説明】
【技術分野】
【０００１】
本発明の実施形態は、照明空間に設置される複数の照明器具を備えた照明制御システムおよび照明制御方法に関する。
【背景技術】
【０００２】
従来、例えば、オフィスや店舗等の施設では、その施設の照明空間に設置された複数の照明器具を制御する照明制御システムが用いられている。この照明制御システムでは、各照明器具に通信機能を搭載しており、それぞれの点灯状態を個別に制御可能となっている。このため、この照明制御システムでは、システムの親機となるエリアコントローラ、照度センサ、人感センサ等を用いて、自由なレイアウトで点灯エリアや調光エリアを設定できる。
【先行技術文献】
【特許文献】
【０００３】
【特許文献１】特開２０１１−１６５５７７号公報
【発明の概要】
【発明が解決しようとする課題】
【０００４】
しかしながら、このような照明制御システムの場合、人が存在しないエリアの照明器具を消灯すると、照明空間の明るさの印象としては、陰鬱に感じる場合がある。
【０００５】
本発明が解決しようとする課題は、省エネルギー化を図りつつ、照明空間に存在する人数に拘らず照明空間の明るさ感を効果的に確保できる照明制御システムおよび照明制御方法を提供することである。
【課題を解決するための手段】
【０００６】
実施形態の照明制御システムは、存否検出手段と、照明器具と、制御手段とを備える。存否検出手段は、照明空間内の複数の検出エリア毎の人の存否を検出する。照明器具は、照明空間の検出エリア毎に複数ずつ設置される。制御手段は、照明器具を点灯制御可能である。また、この制御手段は、所定方向およびこの所定方向と交差する交差方向に隣接する４つの検出エリアのうち、存否検出手段により人の存在を検出した検出エリアに対応する照明器具を点灯させる。さらに、この制御手段は、４つの検出エリアのうち、人の存在を検出した検出エリアが１つである場合には、残りの３つの検出エリアに対応する照明器具の明るさを相対的に低減させる。また、この制御手段は、４つの検出エリアのうち、人の存在を検出した検出エリアが２つである場合には、残りの２つの検出エリアに対応する照明器具のうち、人の存在を検出した検出エリアに隣接する側の照明器具の明るさを相対的に低減させるとともに残りの他の照明器具を消灯させる。そして、この制御手段は、４つの検出エリアのうち、人の存在を検出した検出エリアが３つである場合には、残りの１つの検出エリアに対応する照明器具を消灯させる。
【発明の効果】
【０００７】
本発明によれば、所定方向およびこの所定方向と交差する交差方向に隣接する４つの検出エリア中の人の存在を検出した検出エリアの数に対応して照明空間の明るさ感を適切に調整し、省エネルギー化を図りつつ、照明空間の存在する人数に拘らず照明空間の明るさ感を効果的に確保できる。
【図面の簡単な説明】
【０００８】
【図１】一実施形態の照明制御システムによる照明制御方法を模式的に示す説明図であり、(a)は４つの検出エリアのうち１つに人の存在を検出した場合を示し、(b)および(c)は４つの検出エリアのうち２つに人の存在を検出した場合を示し、(d)は４つの検出エリアのうち３つに人の存在を検出した場合を示す。
【図２】同上照明制御システムを天井側から模式的に示す説明図である。
【図３】同上照明制御システムの照明器具を模式的に示す説明図である。
【図４】同上照明制御システムを模式的に示す説明図である。
【発明を実施するための形態】
【０００９】
以下、一実施形態の構成を図１ないし図４を参照して説明する。
【００１０】
図１ないし図４に示すように、照明制御システム11は、例えばオフィスや店舗等の施設の屋内の照明空間12の天井等に全域に並んで設置された複数の照明器具13の点灯状態を一元制御するもので、照明空間12の複数の照明器具13毎に存否検出手段としての人感センサであるセンサ機器14が設置されている。また、照明制御システム11は、各照明器具13を点灯制御する制御手段としての照明制御部15と、この照明制御部15からの制御信号を各照明器具13に供給する通信部(通信ユニット)16とを備え、これら照明制御部15と複数の通信部16とセンサ機器14とが信号線17を介して互いに通信可能に接続されている。そして、各照明器具13、センサ機器14、照明制御部15および通信部16は、図示しない分電盤等の電源部から電源線18を介して給電されている。
【００１１】
なお、照明空間12の形状や照明器具13の配置等については、任意に設定できるが、本実施形態では、説明をより明確にするために、例えば照明空間12を壁部Ｗにより囲まれた平面視で四角形状とし、その天井に照明器具13が照明空間12の平面視での所定方向である長手方向(矢印Ｘ方向)およびこの長手方向と交差する交差方向である幅方向(矢印Ｙ方向)に沿ってマトリクス状に配置されているものとする。
【００１２】
照明器具13は、器具本体21と、この器具本体21に配置された複数の上側光源22および下側光源23と、上側光源22を点灯させる上側点灯回路24と、下側光源23を点灯させる下側点灯回路25と、これら点灯回路24，25および各光源22，23の電源となる電源部26とを備え、天井面に配置されている。
【００１３】
器具本体21は、例えば横長に形成されており、長手方向の両端に上側光源22がそれぞれ配置され、下部に下側光源23が例えば略等間隔に離間されて長手方向に沿ってそれぞれ配置されている。
【００１４】
また、上側光源22は、水平方向よりも上方向に向けて光(光L1)を照射可能な上方照射光源である。したがって、この上側光源22の点灯により、照明器具13は天井面を照明することが可能な間接照明用光源となっている。
【００１５】
また、下側光源23は、水平方向よりも下方向に向けて光(光L2)を照射可能な下方照射光源である。したがって、この下側光源23の点灯により、照明器具13は床面や人Ｐを直接照明することが可能となっている。
【００１６】
そして、これら光源22，23は、例えば蛍光ランプや電球あるいはＬＥＤ等の調光可能な光源であり、互いに独立して点灯制御可能となっている。
【００１７】
各点灯回路24，25は、器具本体21内にそれぞれ配置されており、照明制御部15からの信号に対応して、電源部26から供給される電源を変換して各光源22，23を点灯、消灯および調光させるものである。そして、これら点灯回路24，25は、それぞれ固有のアドレスを有し、照明制御部15から送信されてくる自己のアドレスの制御信号を特定して受信したり、照明制御部15で特定できるように自己のアドレスとともに点灯制御状態を照明制御部15に送信したりする機能を有している。
【００１８】
なお、これら照明器具13は、全て同一の配光特性を有するものを配置してもよいし、所定の位置、例えば壁部の近傍とその他の位置とで配光特性や照明する方向が異なるものとする等、任意の配光特性のものを選択して設置できる。
【００１９】
また、センサ機器14は、照明空間12内の人Ｐの存否(人Ｐの存在の有無)を検出する画像センサ(画像認識センサ)等である。なお、このセンサ機器14は、照明空間12の広さ(大きさ)やその形状および配置等に応じて設置する個数や位置を適宜設定できる。そして、センサ機器14を複数配置する場合には、それぞれ固有のアドレスを設定し、このアドレスを用いて信号線17を介して照明制御部15と通信するように構成する。
【００２０】
ここで、センサ機器14は、撮影した画像情報をメッシュ状の検出エリアＡに分割し、それら分割した画像情報を解析することで人Ｐが照明空間12のどこにいるかを二次元的に検出する。すなわち、センサ機器14は、照明空間12内の人Ｐの位置(人Ｐが存在する検出エリアＡ)を検出する位置検出手段の機能を有している。なお、本実施形態においては、検出エリアＡは図２中の上下方向および左右方向に隣接する４つで１つの検出エリア群Ｇをなしており、各検出エリアＡには、例えば４つずつの照明器具13と１つのセンサ機器14とが配置されている。
【００２１】
また、照明制御部15は、互いに信号線30を介して接続されており、例えばいずれか一つがこの照明空間12における親機、すなわちエリアコントローラとなり、残りの他が子機、すなわちサブコントローラとなっている。そして、これら照明制御部15は、それぞれ固有のアドレスを有し、このアドレスを用いて互いに通信するように構成されている。
【００２２】
そして、この照明制御部15は、所定方向(矢印Ｘ方向)およびこの所定方向と交差する交差方向(矢印Ｙ方向)に隣接する４つの検出エリアＡからなる検出エリア群Ｇにおいて、人Ｐが存在する検出エリアＡ(在エリアA1)に対応する照明器具13の上側光源22および下側光源23をそれぞれ点灯させる。
【００２３】
ここで、この人Ｐが存在する検出エリアＡ(在エリアA1)が検出エリア群Ｇのうち１つである場合には、照明制御部15は、残りの３つの検出エリアＡ(不在エリアA2)に対応する照明器具13の上側光源22のみを点灯させ、下側光源23を消灯させることで、この照明器具13の明るさ(照度)を低減させる(図１(a))。
【００２４】
また、この人Ｐが存在する検出エリアＡ(在エリアA1)が検出エリア群Ｇのうち２つである場合、すなわち所定方向(矢印Ｘ方向)または交差方向(矢印Ｙ方向)に隣接する２つの検出エリアＡに人Ｐが存在する場合、あるいは、所定方向(矢印Ｘ方向)または交差方向(矢印Ｙ方向)とそれぞれ交差する傾斜方向に向かい合う２つの検出エリアＡに人Ｐが存在する場合には、照明制御部15は、残りの２つの検出エリアＡ(不在エリアA2)に対応する照明器具13のうち、人Ｐが存在する検出エリアＡ(在エリアA1)に隣接する照明器具13の上側光源22のみを点灯させ、下側光源23を消灯させることでこの照明器具13の明るさ(照度)を低減させるとともに、残りの他の照明器具13を消灯させる(図１(b)および図１(c))。
【００２５】
さらに、人Ｐが存在する検出エリアＡ(在エリアA1)が検出エリア群Ｇのうち３つである場合には、照明制御部15は、残りの１つの検出エリアＡ(不在エリアA2)に対応する照明器具13を消灯させる(図１(d))。
【００２６】
このように、以上説明した一実施形態によれば、所定方向(矢印Ｘ方向)およびこの所定方向と交差する交差方向(矢印Ｙ方向)に隣接する４つの検出エリア中Ａの人Ｐの存在を検出した検出エリアＡ(在エリアA1)の数に対応して照明空間12の明るさ感を適切に調整し、省エネルギー化を図りつつ、照明空間12の存在する人Ｐの数に拘らず照明空間12の明るさ感を効果的に確保できる。
【００２７】
すなわち、各検出エリア群Ｇ中で人Ｐが存在する在エリアA1の数が相対的に少ない場合、換言すれば照明空間12に人Ｐが相対的に少ない場合には、在エリアA1の照明器具13のみを点灯し他の不在エリアA2の照明器具13を点灯しない従来の構成では、照明空間12の明るさ感が低下し陰鬱な雰囲気となるため、在エリアA1の周辺の不在エリアA2の照明器具13を、明るさ(照度)を低減させて点灯、具体的には上側光源22のみを点灯させることで、照明空間12の明るさ感を高めることができる。また、各検出エリア群Ｇ中で人Ｐが存在する在エリアA1の数が相対的に多い場合、換言すれば照明空間12に人Ｐが相対的に多い場合には、在エリアA1の照明器具13の光源22，23の点灯により照明空間12の明るさ感が上昇するため、不在エリアA2の照明器具13の点灯数を削減して必要な照明器具13のみ明るさ(照度)を低減させて点灯、具体的には上側光源22のみを点灯させることで、明るさ感を確保しつつ省エネルギー化を図ることができる。
【００２８】
また、不在エリアA2の照明器具13の明るさを低減させる際には、天井面を照明する上側光源22のみを点灯させ、人Ｐ等を直接照明する下側光源23を消灯させるため、人Ｐの目に直接入射する光が抑制され、眩しさを抑制しながら明るさ感を確保でき、快適な執務環境を実現できる。
【００２９】
なお、上記一実施形態において、照明器具13としては、長手状の器具本体21の両端に上側光源22を備え、この器具本体21の下部に下側光源23を備えるものを用いたが、例えば円形状の器具本体の外周部に上側光源を備え、この器具本体の下部に下側光源を備える構成等としてもよく、また、天井面から吊り下げ構造とし、器具本体21の上部に上方向を照射する上側光源22を配置するようにしてもよいし、器具本体21に対する光源の取付方向を全て同一とし、反射板の構造によって上方向を照明する上側光源と下方向を照明する下側光源とを分けてもよい。
【００３０】
また、照明器具13として、例えば調光可能な一般的な照明器具13を用いて上記の照明制御システム11を構成し、図１(a)ないし図１(d)に示す制御において、照明器具13の上側光源22のみを点灯させ下側光源23を消灯させる制御に代えて、照明器具13の調光度を深くして(調光率を低下させて)明るさを低減させる(照度を０にする、すなわち照明器具13を消灯させる制御を除く)、調光点灯制御としても同様の作用効果を奏することができるとともに、汎用の照明器具13を用いて対応できるため、汎用性がより向上する。
【００３１】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３２】
11    照明制御システム
12    照明空間
13    照明器具
14    存否検出手段としてのセンサ機器
15    制御手段としての照明制御部
22    上側光源
23    下側光源
Ａ    検出エリア
【図１】
2014035932.tif 000003
【図２】
2014035932.tif 000004
【図３】
2014035932.tif 000005
【図４】
2014035932.tif 000006